(57)【要約】【課題】監視カメラが送信する映像の画質を状況に応じて切り替え、映像データの伝送・保管コストを削減する。【解決手段】監視システムは、カメラ装置２と、カメラ装置２と通信可能に接続され、カメラ装置２で撮影された映像データを受信する管理サーバ１とを備える。カメラ装置２は、発信機３から識別情報を含む信号を受信する受信部２１を有し、前記信号の受信に伴い撮影モードを低画質モードから高画質モードに切り替え、前記高画質モードで撮影した映像データ及び前記識別情報を管理サーバ１へ送信する。【選択図】図１
2019114857.tif 000002
【特許請求の範囲】
【請求項１】
カメラ装置と、前記カメラ装置と通信可能に接続され、前記カメラ装置で撮影された映像データを受信する管理サーバとを備え、
前記カメラ装置は、発信機から識別情報を含む信号を受信する受信部を有し、前記信号の受信に伴い撮影モードを低画質モードから高画質モードに切り替え、前記高画質モードで撮影した映像データ及び前記識別情報を前記管理サーバへ送信し、
前記管理サーバは、前記カメラ装置から受信した映像データを保存する記憶部を有することを特徴とする監視システム。
【請求項２】
前記受信部が前記発信機から信号を受信しなくなると、前記カメラ装置は撮影モードを前記高画質モードから前記低画質モードに切り替え、前記低画質モードで撮影した映像データを前記管理サーバへ送信することを特徴とする請求項１に記載の監視システム。
【請求項３】
前記カメラ装置は、前記受信部が前記信号を受信した日時を示す受信日時情報を前記管理サーバへ送信し、
前記管理サーバは、前記映像データ、前記識別情報、及び前記受信日時情報を対応付けて前記記憶部に保存することを特徴とする請求項１又は２に記載の監視システム。
【請求項４】
前記受信部が前記信号を受信した場合に、警告を行う警告手段をさらに備えることを特徴とする請求項１乃至３のいずれかに記載の監視システム。
【請求項５】
前記受信部の信号受信強度が所定値未満の場合、前記カメラ装置は撮影モードを前記低画質モードのまま、前記警告手段が警告を行い、
前記受信部の信号受信強度が前記所定値以上になると、前記カメラ装置は撮影モードを前記低画質モードから前記高画質モードに切り替えることを特徴とする請求項４に記載の監視システム。
【請求項６】
カメラ装置と、前記カメラ装置と通信可能に接続され、前記カメラ装置で撮影された映像データを受信する管理サーバとを備え、
前記カメラ装置は、発信機から識別情報を含む信号を受信する受信部を有し、前記信号の受信に伴い撮影を開始し、撮影した映像データ及び前記識別情報を前記管理サーバへ送信し、前記受信部が前記発信機から信号を受信しなくなると、撮影を停止することを特徴とする監視システム。
【請求項７】
カメラ装置と、前記カメラ装置と通信可能に接続され、前記カメラ装置で撮影された映像データを受信する管理サーバとを備え、
前記カメラ装置は、発信機から識別情報を含む信号を受信する受信部を有し、受信した信号に含まれる識別情報を前記管理サーバに通知し、
前記管理サーバは、複数の識別情報と、撮影モードの切り替え要否とを対応付けたテーブルを有し、前記カメラ装置から識別情報が通知されると、撮影モードを切り替えるか否か判定し、判定結果を前記カメラ装置へ送信し、
前記カメラ装置は、前記判定結果が撮影モードの切り替えを指示する場合、撮影モードを低画質モードから高画質モードに切り替えることを特徴とする監視システム。
【発明の詳細な説明】
【技術分野】
【０００１】
本発明は、監視システムに関する。
【背景技術】
【０００２】
建物の出入り口や通路に監視カメラを設置し、監視カメラで撮影された映像を監視センタへネットワークを介して送信し、監視センタのモニタに表示する監視システムが知られている。
【０００３】
従来、監視カメラで撮影され、監視センタへ送信される映像の画質（解像度やフレームレート等）は一定であった。監視カメラから監視センタへ常に高画質の映像を送信し続ける場合、ネットワークの通信負荷が大きく、また、監視センタには、映像を記憶する大容量の記憶装置を設置する必要がある。
【０００４】
一方、ネットワークの通信負荷を軽減し、映像を記憶する記憶装置の容量を抑えるために、監視カメラから監視センタへ常に低画質の映像を送信すると、侵入者や不審者を確認することが困難になる。
【先行技術文献】
【特許文献】
【０００５】
【特許文献１】特開２０１６−１８７１７６号公報
【発明の概要】
【発明が解決しようとする課題】
【０００６】
本発明は、監視カメラが送信する映像の画質を状況に応じて切り替え、映像データの伝送・保管コストを削減できる監視システムを提供することを課題とする。
【課題を解決するための手段】
【０００７】
本発明の監視システムは、カメラ装置と、前記カメラ装置と通信可能に接続され、前記カメラ装置で撮影された映像データを受信する管理サーバとを備え、前記カメラ装置は、発信機から識別情報を含む信号を受信する受信部を有し、前記信号の受信に伴い撮影モードを低画質モードから高画質モードに切り替え、前記高画質モードで撮影した映像データ及び前記識別情報を前記管理サーバへ送信し、前記管理サーバは、前記カメラ装置から受信した映像データを保存する記憶部を有するものである。
【０００８】
本発明の一態様では、前記受信部が前記発信機から信号を受信しなくなると、前記カメラ装置は撮影モードを前記高画質モードから前記低画質モードに切り替え、前記低画質モードで撮影した映像データを前記管理サーバへ送信する。
【０００９】
本発明の一態様では、前記カメラ装置は、前記受信部が前記信号を受信した日時を示す受信日時情報を前記管理サーバへ送信し、前記管理サーバは、前記映像データ、前記識別情報、及び前記受信日時情報を対応付けて前記記憶部に保存する。
【００１０】
本発明の一態様では、前記受信部が前記信号を受信した場合に、警告を行う警告手段をさらに備える。
【００１１】
本発明の一態様では、前記受信部の信号受信強度が所定値未満の場合、前記カメラ装置は撮影モードを前記低画質モードのまま、前記警告手段が警告を行い、前記受信部の信号受信強度が前記所定値以上になると、前記カメラ装置は撮影モードを前記低画質モードから前記高画質モードに切り替える。
【００１２】
本発明の監視システムは、カメラ装置と、前記カメラ装置と通信可能に接続され、前記カメラ装置で撮影された映像データを受信する管理サーバとを備え、前記カメラ装置は、発信機から識別情報を含む信号を受信する受信部を有し、前記信号の受信に伴い撮影を開始し、撮影した映像データ及び前記識別情報を前記管理サーバへ送信し、前記受信部が前記発信機から信号を受信しなくなると、撮影を停止するものである。
【００１３】
本発明の監視システムは、カメラ装置と、前記カメラ装置と通信可能に接続され、前記カメラ装置で撮影された映像データを受信する管理サーバとを備え、前記カメラ装置は、発信機から識別情報を含む信号を受信する受信部を有し、受信した信号に含まれる識別情報を前記管理サーバに通知し、前記管理サーバは、複数の識別情報と、撮影モードの切り替え要否とを対応付けたテーブルを有し、前記カメラ装置から識別情報が通知されると、撮影モードを切り替えるか否か判定し、判定結果を前記カメラ装置へ送信し、前記カメラ装置は、前記判定結果が撮影モードの切り替えを指示する場合、撮影モードを低画質モードから高画質モードに切り替えるものである。
【発明の効果】
【００１４】
本発明によれば、監視カメラが送信する映像の画質を状況に応じて切り替え、映像データの伝送・保管コストを削減できる。
【図面の簡単な説明】
【００１５】
【図１】本発明の実施形態に係る監視システムの概略図である。
【図２】入構許可証の概略図である。
【図３】監視システムのブロック図である。
【図４】警告のみ行う領域と、高画質モードで撮影を行う領域とを示す図である。
【発明を実施するための形態】
【００１６】
以下、図面を参照して実施の形態について説明する。
【００１７】
図１は、本発明の実施形態に係る監視システムの概略図である。この監視システムは、管理サーバ１と、カメラ装置２と、電波を発信する発信機３とを備える。カメラ装置２は、例えば建物内のセキュリティエリア（部外者立ち入り禁止エリア）の近傍に設置され、撮影した映像データを、インターネット等のネットワークを介して、監視センタ内の管理サーバ１へ送信する。カメラ装置２は、複数台設置されていてもよい。監視センタでは、カメラ装置２から送信された監視映像がモニタＭに表示され、警備員が確認できるようになっている。
【００１８】
建物に入館する入館者Ｐは、受付窓口で、氏名、住所、連絡先、所属会社等を受付票に記載して入館手続きを行うと、図２に示すような入構許可証４が貸与される。入館者Ｐは、入構許可証４を首から提げるなどして携帯する。発信機３は、入構許可証４に取り付けられている。
【００１９】
発信機３には固有の識別情報が割り当てられている。発信機３は、識別情報を含む信号を、所定の電波強度で発信し続けている。カメラ装置２は、発信機３との距離が近付くと、図１に示すように、発信機３からの信号を検知して受信する。
【００２０】
カメラ装置２は、通常時は低画質モードで撮影を行っている。カメラ装置２は、発信機３から信号を受信すると、撮影モードを高画質モードに切り替える。高画質モードは、低画質モードよりも解像度やフレームレートが高い撮影モードである。
【００２１】
例えば、低画質モードは、解像度がＳＸＧＡ（１２８０×１０２４画素）、フレームレートが３ｆｐｓであり、高画質モードは、解像度が４Ｋ（３８４０×２１６０画素）、フレームレートが１５ｆｐｓである。
【００２２】
発信機３は例えばビーコン端末を用いることができ、ビーコン端末に設定されているＭＡＣアドレスや各種ビーコンＩＤ（ＵＵＩＤ、ＭＡＪＯＲ値、ＭＩＮＯＲ値）などを識別情報として送信する。カメラ装置２が発信機３からの信号を検知できる最大距離は、発信機３の出力強度により異なり、例えば、数メートルから１００メートル程度である。
【００２３】
カメラ装置２は、発信機３から受信した識別情報と共に、撮影した映像データを管理サーバ１へ送信する。
【００２４】
管理サーバ１は、カメラ装置２から受信した映像データを保存する。また、管理サーバ１は、カメラ装置２から映像データと共に識別情報を受信した場合、識別情報を映像データに対応付けて保存する。また、管理サーバ１は、カメラ装置２が識別情報を含む信号を受信した日時を記録する。
【００２５】
入館者Ｐが移動し、カメラ装置２が発信機３から信号を受信しなくなると、カメラ装置２は、撮影モードを高画質モードから低画質モードに切り替える。
【００２６】
監視センタの警備員が録画された映像データを確認する場合、セキュリティエリアに近付いた入館者Ｐは高画質モードで撮影されているため、行動や表情を容易に確認できる。また、カメラ装置２が識別情報を含む信号を受信した日時が記録されているため、長時間の映像データから、目的の時刻の映像を容易に探し出すことができる。
【００２７】
セキュリティエリアに誰も近付いていない間は、カメラ装置２は低画質モードで撮影を行っている。そのため、管理サーバ１へ送信される映像データはデータサイズが小さく、ネットワークの通信負荷を軽減すると共に、映像データを格納する記憶装置に必要な容量を抑えることができる。
【００２８】
図３は、監視システムのブロック図である。管理サーバ１は、通信処理部１１、記録処理部１２、配信処理部１３、及び記憶部１０を備え、コンピュータが用いられる。
【００２９】
通信処理部１１は、カメラ装置２と通信を行い、映像データを受信する。通信処理部１１は、カメラ装置２から高画質の映像データを受信する場合は、カメラ装置２が発信機３から取得した識別情報も受信する。
【００３０】
記録処理部１２は、通信処理部１１がカメラ装置２から受信した映像データを記憶部１０に格納する。通信処理部１１がカメラ装置２から識別情報を受信した場合、記録処理部１２は、この識別情報と、カメラ装置２による識別情報の受信日時を、映像データと関連付けて記憶部１０に格納する。
【００３１】
配信処理部１３は、映像データをモニタＭへ出力する。配信処理部１３は、映像データを、警備員が携帯する携帯端末（図示略）へ送信してもよい。また、配信処理部１３は、カメラ装置２から高画質の映像データを受信した場合に、映像データを携帯端末へ送信してもよい。
【００３２】
カメラ装置２は、制御部２０、受信部２１、撮影部２２、及び通信部２３を備える。受信部２１は、入館者Ｐが携帯する入構許可証４に取り付けられた発信機３から識別情報を含む信号を受信する。
【００３３】
撮影部２２は、デジタルカメラであり、セキュリティエリアの近傍の領域を撮影する。受信部２１と撮影部２２とが同一の筐体に設けられていてもよいし、別々に（離れた位置に）設けられていてもよい。
【００３４】
受信部２１による信号受信に伴い、制御部２０は、撮影部２２の撮影モードを低画質モードから高画質モードに切り替える。受信部２１が発信機３からの信号を受信しなくなると、制御部２０は、撮影部２２の撮影モードを高画質モードから低画質モードに切り替える。
【００３５】
通信部２３は、撮影部２２の撮影処理により生成された映像データを、ネットワークを介して管理サーバ１へ送信する。通信部２３は、低画質モードの映像データを管理サーバ１へ送信する。また、通信部２３は、高画質モードの映像データを、受信部２１が受信した識別情報と共に、管理サーバ１へ送信する。
【００３６】
本実施形態によれば、カメラ装置２は、通常時は低画質モードで撮影を行い、入館者Ｐがセキュリティエリアに近付き、発信機３から信号を受信している間は高画質モードで撮影を行う。セキュリティエリアに近付いた人物を高画質モードで撮影するため、監視センタのモニタＭにはこの人物が高精細に表示され、その挙動を正確に把握できる。
【００３７】
また、受信部２１が発信機３から信号を受信した日時が記録されているため、長時間の監視映像が録画されている場合でも、警備員は、映像の確認すべき時点に容易にアクセスできる。
【００３８】
セキュリティエリアに誰も近付いておらず、発信機３からの信号を受信していない通常時は、カメラ装置２が低画質モードで撮影を行うため、映像データのデータサイズは小さい。そのため、通信負荷を軽減し、管理サーバ１の記憶部１０に必要な容量を抑えることができる。
【００３９】
監視システムに、警告の音声を出力するスピーカ、警告画面を表示するディスプレイ、スピーカ及びディスプレイを有するロボット等の警告手段を設け、カメラ装置２の受信部２１が発信機３から信号を受信すると、警告手段が警告を行うようにしてもよい。
【００４０】
受信部２１の信号受信強度から、入館者Ｐがセキュリティエリアにどの程度近付いているかを判別し、接近度合いに応じた処理を行うようにしてもよい。例えば、受信部２１が発信機３から信号を受信しているが、信号受信強度が所定値未満の場合、入館者Ｐはセキュリティエリアから少し離れた場所（図４の領域Ｒ２）にいると推定され、警告手段による警告のみ行い、カメラ装置２の撮影モードは低画質モードのままとする。
【００４１】
受信部２１の信号受信強度が所定値以上の場合、入館者Ｐがセキュリティエリアに近い場所（図４の領域Ｒ１）にいると推定され、警告手段による警告を行いつつ、カメラ装置２の撮影モードを高画質モードに切り替える。
【００４２】
受信部２１が発信機３からの信号を受信しなくなった場合、入館者Ｐはセキュリティエリアから遠く離れた場所（図４の領域Ｒ３）へ移動したと推定され、警告を停止し、カメラ装置２の撮影モードを低画質モードに切り替える。
【００４３】
管理サーバ１は、カメラ装置２から受信した識別情報と、カメラ装置２が識別情報を受信した日時とのリストをモニタＭに表示してもよい。また、リスト内の識別情報が選択された場合、この識別情報が対応付けられている映像データから、識別情報受信日時の映像を頭出しして、モニタＭで再生してもよい。
【００４４】
入館手続き時に入館者Ｐが記載した受付票や、入館者Ｐから提示された名刺をスキャン装置で読み取り、スキャン画像を、入館者Ｐに貸与した入構許可証４の発信機３が発信する識別情報と対応付けて管理サーバ１に登録してもよい。入館者Ｐがセキュリティエリアに近付き、カメラ装置２が発信機３から信号を受信すると、カメラ装置２は識別情報を管理サーバ１へ送信する。管理サーバ１は、カメラ装置２から受信した識別情報に対応するスキャン画像をモニタＭに表示する。これにより、警備員は、セキュリティエリアに近付いている人物を容易に特定することができる。
【００４５】
管理サーバ１に、識別情報と、その属性とを対応付けたテーブルを登録しておいてもよい。例えば、監視システムが企業に設置されている場合、その企業の従業員証と、来客に貸与する入構許可証４とに発信機３を取り付ける。
【００４６】
カメラ装置２は、発信機３から信号を受信すると、信号に含まれる識別情報を管理サーバ１に通知する。管理サーバ１は、通知された識別情報から、セキュリティエリアに近付いている人物が従業員か来客か（低画質モードのままでよいか、高画質モードに切り替えるか）を判定し、判定結果をカメラ装置２へ送信する。カメラ装置２は、この人物が来客である場合は、撮影モードを高画質モードに切り替えたり、警告を行ったりする。この人物が従業員である場合、カメラ装置２は、撮影モードを低画質モードのままにする。
【００４７】
さらに、従業員を複数のランクに分類してもよい。例えば、権限のない従業員がセキュリティレベルの高い場所に近付いた場合、カメラ装置２は、撮影モードを高画質モードに切り替えたり、警告を行ったりする。
【００４８】
上記実施形態では、カメラ装置２が通常時は低画質モードで撮影を行い、発信機３からの信号の受信に伴い撮影モードを高画質モードに切り替える例について説明したが、発信機３から信号を受信している間だけ撮影を行い、信号を受信していない通常時は撮影を停止してもよい。これにより、記憶部１０に必要な容量をさらに削減することができる。
【００４９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５０】
１  管理サーバ
２  カメラ装置
３  発信機
４  入構許可証
【図１】
2019114857.tif 000003
【図２】
2019114857.tif 000004
【図３】
2019114857.tif 000005
【図４】
2019114857.tif 000006